(57)【要約】【課題】使用者の周辺状況や、気持ち、及び身なりなどに応じて、カバーを容易に着脱することでき、他のカバーとの互換が可能にできる、取り替え可能なカバーを備える鞄を提供する。【解決手段】本発明は、内容物を収容するように内部に空間が形成されて上面が開放された本体と、前記本体に着脱可能に設置されて本体の開放された上部を開閉するカバーを含んで構成された取り替え可能なカバーを備える鞄に関する。特に、前記本体と前記カバーとは、結束帯により連結され、前記結束帯には、前記カバーと前記本体の後面とを後方から前方へ連続的に貫通する結合突起が一定間隔に具備され、前記結束帯の兩端は、前記カバーと前記本体の後面とを連続的に貫通させた後に、前記結合突起に貫通され、カバーを容易に着脱することができるとともに、多様な雰囲気を演出することができる効果がある。【選択図】図３
2016077908.tif 000002
【特許請求の範囲】
【請求項１】
内容物を収容するように内部に空間が形成され、上面が開放される本体と、
前記本体に着脱可能に設置され、本体の開放された上部を開閉するカバーと、
を備え、
前記本体と前記カバーとは、結束帯により連結され、
前記結束帯には、前記カバーと、前記本体の後面とを後方から前方へ連続的に貫通する結合突起が一定間隔に具備され、
前記結束帯の両端は、前記カバーと前記本体の後面とが連続的に貫通された後、前記結合突起に貫通される、取り替え可能なカバーを備える鞄。
【請求項２】
前記カバーには支持帯により取っ手が着脱可能に設けられ、
前記取っ手の両端には連結留め金が設置されて、前記支持帯は前記カバーを貫通する連結留め金に挿入された後、前記カバーの内側面に着脱可能に設けられる、請求項１に記載の取り替え可能なカバーを備える鞄。
【請求項３】
前記カバーは、前方中央に挿入ホールが形成され、
前記本体は、前面に前記挿入ホールに締結される止め金を備える、請求項１に記載の取り替え可能なカバーを備える鞄。
【請求項４】
前記カバーの上面には、前記止め金に締結される装飾帯がさらに設けられ、
前記装飾帯は、後方部が前記結束帯の結合突起に貫通され、前方部が前記止め金に締結される、請求項３に記載の取り替え可能なカバーを備える鞄。
【請求項５】
前記装飾帯は、後端が他の部分より厚く形成されて、前記結束帯の下端を支持する支持端ラッチが形成される、請求項４に記載の取り替え可能なカバーを備える鞄。
【発明の詳細な説明】
【技術分野】
【０００１】
本発明は、鞄に関し、特には、内容物を収容する本体からカバー、取っ手、などを容易に着脱可能な取り替え可能なカバーを備える鞄に関する。
【背景技術】
【０００２】
一般的に、鞄は、外出または旅行時にその内部に所持品を格納して、使用者が所持品を容易に携帯することを可能にする、現代人の生活に必須の物品である。
【０００３】
使用者は、参加する集まりの雰囲気、季節、または身なりと調和することの可能な色合い及び模様に形成された鞄を適切に選択して購入する。
【０００４】
このような鞄は、一回購入すれば、流行の変化にもかかわらず、その形態とデザインのままずっと使用し続けられることになる。また、使用者は、参加する集まりの雰囲気が都度相違すれば、他の雰囲気を演出することができる鞄を持ちたいが、そのためには、多くの鞄を購入する必要があり、多くの費用がかかる。
【先行技術文献】
【特許文献】
【０００５】
【特許文献１】韓国特開第１０−２００４−００８２３６９号公報
【発明の概要】
【発明が解決しようとする課題】
【０００６】
そこで、本発明は、上記問題に鑑みてなされたものであり、本発明の目的とするところは、使用者の周辺状況や、気持ち、及び身なりなどに応じて、カバーを容易に着脱可能であり、他のカバーとの互換が可能な、取り替え可能なカバーを備える鞄を提供することにある。
【課題を解決するための手段】
【０００７】
上記課題を解決するために、本発明のある観点によれば、取り替え可能なカバーを備える鞄は、内容物を収容するように内部に空間が形成され、上面が開放される本体と、前記本体に着脱可能に設置され、本体の開放された上面を開閉するカバーと、を備えている。前記本体と、前記カバーとは、結束帯により連結され、前記結束帯には、前記カバーと、前記本体の後面とを後方から前方へ連続的に貫通する結合突起が一定間隔に具備され、前記結束帯の両端は、前記カバーと、前記本体の後面とを連続的に貫通する後に、前記結合突起に貫通される。
【０００８】
ここで、前記カバーには、支持帯により取っ手が着脱可能に設けられ、前記取っ手の両端には連結留め金が設置され、前記支持帯は、前記カバーを貫通する連結留め金に挿入された後にカバーの内側面に着脱可能に設けられる。
【０００９】
そして、前記カバーは、前方中央に挿入ホールが形成され、前記本体は、前面に前記挿入ホールに締結される止め金が具備される。
【００１０】
また、前記カバーの上面には、前記止め金に締結される装飾帯がさらに設けられ、前記装飾帯は、後方部が前記結束帯の結合突起に貫通され、前方部が前記止め金に締結される。
【００１１】
また、前記装飾帯は、後端が他の部分より厚く形成されて前記結束帯の下端を支持する支持端ラッチが形成される。
【発明の効果】
【００１２】
本発明によれば、取り替え可能なカバーを備える鞄は、カバーや取っ手を容易に着脱でき、使用者の気持ちや周辺状況などに応じて他のカバーや取っ手を容易に設けることができるため、多様な雰囲気を演出することができる。
【００１３】
また、鞄の一部、すなわち、カバーや取っ手などが毀損されて取り替えが必要な時、鞄の全体を購入する必要がなく、その一部のみを入れ替れば良いため、費用を節減することができる。
【図面の簡単な説明】
【００１４】
【図１】本発明の一実施形態に係る取り替え可能なカバーを備える鞄を前方から示す図である。
【図２】同実施形態に係る取り替え可能なカバーを備える鞄を前方から示す分解図ある。
【図３】同実施形態に係る取り替え可能なカバーを備える鞄を前方から示す分解図ある。
【図４】同実施形態に係る取り替え可能なカバーを備える鞄を後方から示す図である。
【図５】同実施形態に係る取り替え可能なカバーを備える鞄を後方から示す分解図である。
【図６】同実施形態に係る取り替え可能なカバーを備える鞄を後方から示す分解図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
以下、本発明の一実施形態に係る取り替え可能なカバーを備える鞄について、図面を参照して詳細に説明する。
【００１７】
図１は、本実施形態に係る取り替え可能なカバーを備える鞄を前方から見た図面であり、図２及び図３は、本実施形態に係る取り替え可能なカバーを備える鞄を前方から見た分解図ある。
【００１８】
そして、図４は、本実施形態に係る取り替え可能なカバーを備える鞄を後方から示す図であり、図５及び図６は、本実施形態に係る取り替え可能なカバーを備える鞄を後方から示す分解図である。
【００１９】
本実施形態に係る取り替え可能なカバーを備える鞄は、本体１００と、上記本体１００に着脱可能に設けられるカバー２００と、上記本体１００及びカバー２００に着脱可能に設けられる結束帯３００と、上記カバー２００及び結束帯３００に着脱可能に設けられる装飾帯４００と、上記カバー２００に着脱可能に設けられる取っ手５００を有する。
【００２０】
上記本体１００は、各種の内容物を収容するように内部に収容空間が形成され、上部が開放されている。
【００２１】
このような本体１００は、前面１１０の上側に止め金１１１が突出形成されて、図６に示すように後面１２０の上側に複数（本実施形態においては３つ）の締結ホール１２１が一定間隔に形成され、後面上側の両端部に後方ホール１２２が形成される。
【００２２】
上記カバー２００は、上記本体１００に着脱可能に設けられると共に、本体１００の後面１２０の上側に回動可能に連結され、本体１００の開放された上部を開閉する。
【００２３】
このような上記カバー２００には、図２に示すように、挿入ホール２１０が形成されると共に、２つの貫通ホール２２０が離隔して形成され、上記本体１００の締結ホール１２１と連通する連結ホール２３０が形成され、上記本体１００の後方ホール１２２と連通される通過ホール２４０が形成される。具体的には、上記カバー２００を本体１００に連結する時に、本体１００の前面１１０に接する前方中央部に挿入ホール２１０が形成され、本体１００の開放された上面を覆う部分には貫通ホール２２０が形成され、本体１００の後面１２０に接する部分には本体１００の締結ホール１２１と連通する連結ホール２３０が形成され、本体１００の後面１２０に接する部分には本体１００の後方ホール１２２に連通する通過ホール２４０が形成される。
【００２４】
上記結束帯３００は、上記本体１００と上記カバー２００とを連結するため、図６に示すように、内側面に上記本体１００の締結ホール１２１と同数（本実施形態においては３つ）の結合突起３１０を一定間隔に具備する。
【００２５】
上記結合突起３１０は、端部が他の部分より太く形成されることにより、上記カバー２００の連結ホール２３０と上記本体１００後面１２０の締結ホール１２１を後方から前方に連続的に貫通する。結合突起３１０の端部が太さために、結合突起３１０が連結ホール２３０と締結ホール１２１とを貫通した後には、解くことが難しくなる。
【００２６】
そして、上記結束帯３００は、両方が上記カバー２００の通過ホール２４０と、上記本体１００後面１２０の後方ホール１２２と、を連続的に貫通する後に上記結合突起３１０により貫通される。すなわち、結束帯３００の両端部には、穴３２０が形成され、結束帯３００の両端部がカバー２００の通過ホール２４０と、本体１００の後方ホール１２２と、を貫通した後に折り曲げられ、この折り曲げられた部分に形成された穴３２０が上記結合突起３１０により貫通される。これにより、上記カバー２００は、上記結束帯３００により上記本体１００に回動可能に連結される。
【００２７】
上記装飾帯４００は、上記カバー２００の上面に設けられることにより、鞄の全体の美観を高める機能を有するとともに、上記記止め金１１１に締結され、上記カバー２００が上記本体１００に対して確実に閉まるようにする機能を有する。
【００２８】
このような装飾帯４００は、後方部が上記結束帯３００の結合突起３１０に貫通され、前方部が上記記止め金１１１に締結される。すなわち、上記装飾帯４００は、後方部が上記カバー２００の外側面と上記結束帯３００の内側面との間に位置されると共に、結合突起３１０により貫通され、前方部が上記カバー２００の上面に載置されて、前上記金１１１に締結される。これにより、カバー２００が本体１００から容易に開かないようにすることができる。
【００２９】
そして、上記装飾帯４００は、後端部が他の部分より厚く形成されて支持端ラッチ４１０を形成する。この支持端ラッチ４１０は、上記結束帯３００の下端中央部を支持して、結束帯３００が下側で掛かることを防止する。
【００３０】
上記取っ手５００は、支持帯６００により上記カバー２００に着脱可能に設けられる。このような取っ手５００は、両端に連結留め金５１０が回転可能に設けられる。
【００３１】
上記連結留め金５１０は、上記カバー２００の貫通ホール２２０に挿入される。これにより、カバー２００を底面から見れば、連結留め金５１０が突き出されている。このようにカバー２００を貫いて底面に突き出された連結留め金５１０に上記支持帯６００が挿入された後に、カバー２００の内側面に着脱可能に設けられる。すなわち、上記支持帯６００の上面と上記カバー２００の内側面とは、スナップボタン方式で互いに連結して支持帯６００とカバー２００とを容易に着脱可能に設置される。
【００３２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３３】
１００  本体
１１０  前面
１１１  止め金
１２０  構面
１２１  締結ホール
１２２  後方ホール
２００  カバー
２１０  挿入ホール
２２０  貫通ホール
２３０  連結ホール
２４０  通過ホール
３００  結束帯
３１０  結合突起
３２０  穴
４００  装飾帯
４１０  支持端ラッチ
５００  取っ手
５１０  連結留め金
６００  支持帯
【図１】
2016077908.tif 000003
【図２】
2016077908.tif 000004
【図３】
2016077908.tif 000005
【図４】
2016077908.tif 000006
【図５】
2016077908.tif 000007
【図６】
2016077908.tif 000008